(57)【要約】【課題】冷蔵室内に設置した冷蔵室温度センサーにより圧縮機の運転を制御する冷蔵庫において、周囲温度が低い場合にも、冷凍室の温度を確保することができる冷蔵庫を提供する。【解決手段】冷蔵室２と、冷凍室３と、圧縮機４と、冷却ファン６と、冷蔵室３内に設置した冷蔵室温度センサー８とを備え、周囲温度が低い場合に冷却ファン６の断続運転制御を行うことにより、冷却ファン６運転中は冷却ファンの送風による冷却を行い、また、冷却ファン停止中にも圧縮機４を運転させることで、冷凍室２を直接冷却することができ、周囲温度が低い場合にも、冷凍室２の温度を確保することが可能となる。【選択図】図１
2006010159.tif 000002
【特許請求の範囲】
【請求項１】
冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンとを有し、前記冷凍室背面に蒸発器を配置するとともに前記冷却ファンを断続運転制御することを特徴とする冷蔵庫。
【請求項２】
冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器と、外気温度センサーとを有し、外気温度センサーにより検知した温度が、所定温度以下になった場合に、前記冷却ファンの断続運転制御を行うことを特徴とする冷蔵庫。
【請求項３】
冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器とを有し、前記圧縮機の運転率が所定の割合以下になった場合に、前記冷却ファンの断続運転制御を行うことを特徴とする冷蔵庫。
【請求項４】
冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器とを有し、前記圧縮機の停止時間が所定時間以上経過した場合に、前記冷却ファンの断続運転制御を行うことを特徴とする冷蔵庫。
【請求項５】
霜取り終了後の第１回目の冷却運転の場合は、冷却ファンの断続運転制御を行わない請求項２から請求項４のいずれか一項に記載の冷蔵庫。
【発明の詳細な説明】
【技術分野】
【０００１】
本発明は冷蔵室内に設置した冷蔵室温度センサーにより圧縮機の運転・停止を制御する冷蔵庫に関するものである。
【背景技術】
【０００２】
従来、この種の冷蔵庫は、冷却器で冷却された空気を冷蔵室と冷凍室へ循環させる冷却ファンを圧縮機に同期して運転させている（例えば、特許文献１参照）。
【０００３】
図１０は、特許文献１に記載された従来の冷蔵庫を示すものである。図１０に示すように、冷蔵庫１は、冷凍室２と冷蔵室３からなり、圧縮機４と、蒸発器５と、冷却ファン６と、手動ダンパー７と、冷蔵室温度センサー８と、冷凍室温度センサー９から構成されている。以下にその動作について説明する。圧縮機４を含む冷却サイクルにより蒸発器５で生成された冷気を冷却ファン６によって、冷凍室２と冷蔵室３へ送風される。そして冷蔵室３に設けた冷蔵室温度センサー８により、冷蔵室３が所定の温度以下になった場合、圧縮機４を停止し、同時に冷却ファン６の運転を停止させる。そして冷蔵室３が、所定の温度以上になった場合、圧縮機４を運転し、同時に冷却ファン６を運転させる。これを繰り返すことにより、冷蔵室３を所定温度に保っている。また、冷凍室２は、冷蔵室３への風路を、手動ダンパー７を開閉することで、冷凍室２と冷蔵室３へと冷気を配分して冷却している。また、冷凍室２に設けた冷凍室センサー９により、冷凍室２が所定の温度以上になった場合、強制的に冷蔵室３の設定温度を下げ、圧縮機４を運転させることで冷凍室２の温度を確保している。
【特許文献１】特開昭６２−５９３５４号公報
【発明の開示】
【発明が解決しようとする課題】
【０００４】
しかしながら、上記従来の構成では、たとえば周囲温度が低くなった場合、周囲からの吸熱による冷蔵室内の温度上昇が少なくなり、圧縮機の運転率が低下することで、冷凍室の温度が所定の温度を確保できなくなった場合、冷凍室の温度を確保するために、冷蔵室の設定温度を下げるため、冷蔵室を冷やし過ぎてしまうという課題を有していた。
【０００５】
本発明は、上記従来の課題を解決するもので、周囲温度が低い場合にも、冷蔵室を冷やし過ぎずに、冷凍室の温度を確保することができる冷蔵庫を提供することを目的とする。
【課題を解決するための手段】
【０００６】
上記従来の課題を解決するために、本発明は、冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンとを有し、前記冷凍室背面に蒸発器を配置するとともに前記冷却ファンを断続運転制御するものである。
【０００７】
これによって、ファン運転中はファンの送風による冷却を行い、また、ファン停止中にも圧縮機を運転させることで、冷凍室背面にある蒸発器から冷凍室を直接冷却することができ、周囲温度が低い場合にも、冷凍室の温度を確保することが可能となる。
【発明の効果】
【０００８】
本発明の冷蔵庫は、周囲温度が低い場合にも、冷凍室の温度を確保することができる。
【発明を実施するための最良の形態】
【０００９】
請求項１に記載の発明は、冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンとを有し、前記冷凍室背面に蒸発器を配置するとともに前記冷却ファンを断続運転制御するものであり、冷却ファンの断続運転制御を行うことで、冷却ファン運転中は冷却ファンの送風による冷却を行い、また、冷却ファン停止中にも圧縮機を運転させることで、冷凍室を直接冷却することができ、冷凍室の温度を確保することができる。
【００１０】
請求項２に記載の発明は、冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器と、外気温度センサーとを有し、外気温度センサーにより検知した温度が、所定温度以下になった場合に、前記冷却ファンの断続運転制御を行うものであり、冷却ファン運転中は冷却ファンの送風による冷却を行い、また、冷却ファン停止中にも圧縮機を運転させることで、冷凍室を直接冷却することができ、周囲温度が低い場合にも、冷凍室の温度を確保することができる。
【００１１】
請求項３に記載の発明は、冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器とを有し、前記圧縮機の運転率が所定の割合以下になった場合に、前記冷却ファンの断続運転制御を行うものであり、冷却ファン運転中は冷却ファンの送風による冷却を行い、また、冷却ファン停止中にも圧縮機を運転させることで、冷凍室を直接冷却することができ、周囲温度が低い場合にも、冷凍室の温度を確保することができる。
【００１２】
請求項４に記載の発明は、冷蔵室と、冷凍室と、前記冷蔵室内に設置した冷蔵室温度センサーと、前記センサーの検知温度に基づいて運転・停止を行う圧縮機と、前記冷蔵室と前記冷凍室へ冷気を送風する冷却ファンと、前記冷凍室背面に配置した蒸発器とを有し、前記圧縮機の停止時間が所定時間以上経過した場合に、前記冷却ファンの断続運転制御を行うものであり、冷却ファン運転中は冷却ファンの送風による冷却を行い、また、冷却ファン停止中にも圧縮機を運転させることで、冷凍室を直接冷却することができ、周囲温度が低い場合にも、冷凍室の温度を確保することができる。
【００１３】
請求項５に記載の発明は、請求項２から４のいずれか一項に記載の発明において、霜取り終了後の第１回目の冷却運転の場合は、冷却ファンの断続運転制御を行わないものであり、霜取りによって昇温した冷蔵庫内をすばやく冷却することができる。
【００１４】
以下、本発明の実施の形態について、図を参照しながら説明する。なお、この実施の形態によってこの発明が限定されるものではない。また、従来と同一構成については同一符号を付して詳細な説明を省略する。
【００１５】
（実施の形態１）
図１は、本発明の実施の形態１における冷蔵庫である。また、図2および図3は、本発明の実施の形態１の冷蔵庫の動作を示すタイミングチャートである。
【００１６】
図１において、外気温度センサー１０が冷蔵庫１の外周部に設置されており、外気温度センサー１０により外気温度を検知する。また、冷蔵室３内の冷蔵室温度センサー８により圧縮機４、冷却ファン６の運転を制御している。そして、冷却ファン６は圧縮機４とは独立してＯＮ／ＯＦＦを繰り返す断続運転を可能としている。
【００１７】
上記構成において、以下その動作、作用を説明する。
【００１８】
周囲温度が比較的高く、外気温度センサー１０がＴ１℃（例えばＴ１：１５℃）以上の場合、圧縮機４と冷却ファン６は同期して運転制御される。そして、冷蔵庫１の周囲温度が低くなり、外気温度センサー１０がT１℃以下を検出すると、冷却ファン６の運転を、圧縮機４運転中にＯＮ／ＯＦＦを繰り返す断続運転とする。
【００１９】
これによって、周囲温度が低い場合、冷蔵室温度センサー８により圧縮機４の運転を制御しているため運転率が下がり、従来の制御では冷凍室２の庫内温度が高くなるが、本発明の実施の形態では、冷却ファン６を圧縮機４運転中にＯＮ／ＯＦＦを繰り返す断続運転とすることで、冷蔵室３の冷却量が減少し、それにより圧縮機４の運転率が増加する。したがって、冷却ファン６の運転中は冷却ファンの送風により、蒸発器５で生成された冷気を冷凍室２と冷蔵室３に送り冷却を行うとともに、冷却ファン停止中にも圧縮機を運転させることで、冷凍室背面にある蒸発器から冷凍室を直接冷却することができ、冷凍室の温度を確保することができる。
【００２０】
（実施の形態２）
図４は、本発明の実施の形態２における冷蔵庫である。また、図５および図６は、本発明の実施の形態２の冷蔵庫の動作を示すタイミングチャートである。
【００２１】
図４において、タイマー１１が冷蔵庫１に設置されており、圧縮機４の運転率を検出して、冷却ファン６の運転を制御する。
【００２２】
上記構成において、以下その動作、作用を説明する。
【００２３】
冷蔵庫１の周囲温度が低くなり、タイマー１１によって算出された圧縮機４の運転率が、Ｒ１％以下（たとえば３０％）を検出すると、冷却ファン６の運転を、圧縮機４運転中にＯＮ／ＯＦＦを繰り返す断続運転とする。
【００２４】
これによって、周囲温度が低い場合、冷却ファン６を圧縮機４運転中にＯＮ／ＯＦＦを繰り返す断続運転とすることで、冷蔵室３の冷却量が減少し、それにより圧縮機４の運転率が増加する。したがって、冷却ファン６の運転中は冷却ファンの送風により、蒸発器５で生成された冷気を冷凍室２と冷蔵室３に送り冷却を行うとともに、冷却ファン停止中にも圧縮機を運転させることで、冷凍室背面にある蒸発器から冷凍室を直接冷却することができ、冷凍室の温度を確保することができる。
【００２５】
（実施の形態３）
図７は、本発明の実施の形態３における冷蔵庫である。また、図８および図９は、本発明の実施の形態３の冷蔵庫の動作を示すタイミングチャートである。
【００２６】
図７において、タイマー１１、霜取りヒーター１２が冷蔵庫１に設置されており、タイマー１１によって圧縮機運転時間および圧縮機停止時間を積算し、冷却ファン６、霜取りヒーター１２を制御している。
【００２７】
以上のように構成された冷蔵庫について、以下その動作、作用を説明する。
【００２８】
冷蔵庫１の周囲温度が低くなったとき、タイマー１１が、圧縮機停止時から圧縮機停止時間を積算し、ｔ１分（たとえば３０分）以上を検出すると、圧縮機４の運転中に冷却ファン６の運転を断続運転とする。これによって、周囲温度が低い場合、冷却ファン６を圧縮機４運転中にＯＮ／ＯＦＦを繰り返す断続運転とすることで、冷蔵室３の冷却量が減少し、それにより圧縮機４の運転率が増加する。したがって、冷却ファン６の運転中は冷却ファンの送風により、蒸発器５で生成された冷気を冷凍室２と冷蔵室３に送り冷却を行うとともに、冷却ファン停止中にも圧縮機を運転させることで、冷凍室背面にある蒸発器から冷凍室を直接冷却することができ、冷凍室の温度を確保することができる。
【００２９】
また、タイマー１１によって圧縮機４の運転時間を積算し、前回の霜取り終了後から積算ｔ２分を検出すると、霜取りヒーター１２に通電し、蒸発器５の霜取りを行う。そして、霜取り終了後の第１回目の冷却運転は、強制的に冷却ファン６の断続運転を行わないことで、霜取りによって昇温している冷蔵庫１庫内をすばやく冷却することができる。
【産業上の利用可能性】
【００３０】
以上のように、本発明にかかる冷蔵庫は、冷蔵室温度で圧縮機を運転制御するものにおいて、周囲温度が低い場合にも、冷凍室の温度を確保することが可能となるので、冷蔵室温度で圧縮機を運転制御する冷凍機器等の用途にも適用することができる。
【図面の簡単な説明】
【００３１】
【図１】本発明の実施の形態１における冷蔵庫の断面図
【図２】同実施例の高外気温時の動作を示すタイミングチャート
【図３】同実施例の低外気温時の動作を示すタイミングチャート
【図４】本発明の実施の形態２における冷蔵庫の断面図
【図５】同実施例の高外気温時の動作を示すタイミングチャート
【図６】同実施例の低外気温時の動作を示すタイミングチャート
【図７】本発明の実施の形態３における冷蔵庫の断面図
【図８】同実施例の高外気温時の動作を示すタイミングチャート
【図９】同実施例の低外気温時の動作を示すタイミングチャート
【図１０】従来の冷凍冷蔵庫の断面図
【符号の説明】
【００３２】
１    冷蔵庫
２    冷凍室
３    冷蔵室
４    圧縮機
６    冷却ファン
８    冷蔵室温度センサー
１０    外気温度センサー
【図１】
2006010159.tif 000003
【図２】
2006010159.tif 000004
【図３】
2006010159.tif 000005
【図４】
2006010159.tif 000006
【図５】
2006010159.tif 000007
【図６】
2006010159.tif 000008
【図７】
2006010159.tif 000009
【図８】
2006010159.tif 000010
【図９】
2006010159.tif 000011
【図１０】
2006010159.tif 000012